(57)【要約】【課題】小論文の反復練習を復習しながら効率よく確実に行うことができる添削教材を提供する。【解決手段】添削教材（１）は、小論文の問題に対する初回の答案を記入する原稿用紙欄（２１）が設けられた第１の頁（２０）と、第１の頁（２０）における初回の答案の添削指導された内容をふり返るための項目欄（３１〜３５）が設けられた第２の頁（３０）と、小論文の問題に対する２回目の答案を記入する原稿用紙欄(４１)が設けられた第３の頁（４０）とを少なくとも有し、第１の頁から第３の頁までの各頁（２０，３０，４０）がこの順番で綴じられている。【選択図】図２
0003208652.tif 000002
【実用新案登録請求の範囲】
【請求項１】
小論文の問題に対する初回の答案を記入する原稿用紙欄が設けられた第１の頁と、
前記第１の頁における前記初回の答案の添削指導された内容を振り返るための項目欄が設けられた第２の頁と、
前記小論文の問題に対する２回目の答案を記入する原稿用紙欄が設けられた第３の頁と
を少なくとも有し、
前記第１の頁から第３の頁までの各頁がこの順番で綴じられている添削教材。
【請求項２】
前記第３の頁における前記２回目の答案の添削指導された内容を含めて教材全体の学習内容を振り返るための項目欄が設けられた第４の頁を有し、前記第４の頁が前記第３の頁の後に更に綴じられている請求項１に記載の添削教材。
【請求項３】
前記第１の頁から第３の頁までの各頁が見開き頁として構成されている請求項１に記載の添削教材。
【請求項４】
前記第２の頁に、前記初回の答案の添削指導された内容を振り返るための指示事項が示された複数の指示欄と、その各指示欄の指示事項に応答する内容を記入する応答欄とが対応して設けられている請求項１〜３のいずれかに記載の添削教材。
【請求項５】
前記第２の頁に、前記２回目の答案について予め推敲した内容を記入するメモ欄が設けられている請求項１〜４のいずれかに記載の添削教材。
【請求項６】
前記メモ欄は、序論の内容、本論の内容及び結論の内容に分けて記入するよう構成されている請求項５に記載の添削教材。
【請求項７】
前記第４の頁に、前記２回目の答案の添削指導された内容を含めて教材全体の学習内容を振り返るための指示事項が示された複数の指示欄と、その各指示欄の指示事項に応答する内容を記入する応答欄とが対応して設けられている請求項２〜６のいずれかに記載の添削教材。
【請求項８】
前記第３の頁の端部側に、前記初回及び第２回目の各答案に対する評価項目ごとの得点及び評価結果がそれぞれ記入された初回の結果表及び２回目の結果表が設けられており、
前記第４の頁に、その一部分を所定の位置で谷折りしたとき、前記第３の頁における初回の結果表及び２回目の結果表が現れて見える仕組みが設けられている請求項２〜７のいずれかに記載の添削教材。
【請求項９】
前記第１の頁における原稿用紙欄と前記第３の頁における原稿用紙欄は、その各上方側及び下方側の少なくとも一方に空白部分を配して設けられている請求項１〜８のいずれかに記載の添削教材。
【考案の詳細な説明】
【技術分野】
【０００１】
この考案は、小論文の練習に好適な添削教材に関するものである。
【背景技術】
【０００２】
小論文の試験は、入学試験、入社試験、資格試験等のさまざまな機会において採用されている。このため、小論文の試験を受ける対象者のなかには、その対策として各種の受験機関、教材会社等から提供されている小論文練習用の教材を利用して予め小論文の練習をする者もある。
【０００３】
このような小論文の練習を行うための教材としては、例えば、小論文の模擬試験用の問題に対する答案を作成して練習用の原稿用紙に記入した後、その答案内容についての添削指導を受けることにより学習する教材がある。
また近年においては、小論文練習用の教材として、１回目の答案と同じ問題について別の原稿用紙にもう一度答案を作成させて記入させることにより練習を繰り返させる教材も提供されている。
さらに最近では、１枚の縦長の用紙に、１回目の答案を記入する原稿用紙欄と２回目の答案を記入する原稿用紙欄が用紙の上部及び下部に分けて配置されている論文添削用の原稿用紙も提案されている（特許文献１）。
【０００４】
この他、小論文以外の学習分野においても、その学習がしやすいよう工夫された学習教材として以下に例示するものが知られている。
【０００５】
例えば、特許文献２には、理科を介して英語を指導するための学習教材として、理科の実験結果を図示する記載欄を含む実験観察シートと、その実験を伴う学習に際して出現した単語や表現が絵で解説されている英単語学習シートとを備え、その実験観察シートと英単語学習シートが実験のテーマ毎に１組をなし、所定の期間内に学習する複数のテーマに対応した複数組が綴じられている学習教材が示されている。
また、特許文献３には、新聞を教材にして学習するときに用いる学習ノートとして、ノートを開いた頁に新聞切り抜き記事を貼着する欄を設け、他方の頁には前記の欄に貼着する新聞切り抜き記事に関する学習結果を記載する欄を備えたワークシートを設けた新聞学習用ノートが示されている。
【先行技術文献】
【特許文献】
【０００６】
【特許文献１】意匠登録第１１８８５４８号公報
【特許文献２】特開２０１５−１７５９７０号公報
【特許文献３】実用新案登録第３１７３８８６号公報
【考案の概要】
【考案が解決しようとする課題】
【０００７】
この考案は、小論文の反復練習を復習しながら効率よく確実に行うことができる添削教材を提供するものである。
【課題を解決するための手段】
【０００８】
この考案（Ａ１）の添削教材は、小論文の問題に対する初回の答案を記入する原稿用紙欄が設けられた第１の頁と、前記第１の頁における前記初回の答案の添削指導された内容を振り返るための項目欄が設けられた第２の頁と、前記小論文の問題に対する２回目の答案を記入する原稿用紙欄が設けられた第３の頁とを少なくとも有し、前記第１の頁から第３の頁までの各頁がこの順番で綴じられているものである。
【０００９】
また、この考案（Ａ２）の添削教材は、上記考案Ａ１の添削教材において、前記第３の頁における前記２回目の答案の添削指導された内容を含めて教材全体の学習内容を振り返るための項目欄が設けられた第４の頁を有し、前記第４の頁が前記第３の頁の後に更に綴じられているのである。
この考案（Ａ３）の添削教材は、上記考案Ａ１の添削教材において、前記第１の頁から第３の頁までの各頁が見開き頁として構成されているものである。
【００１０】
この考案（Ａ４）の添削教材は、上記考案Ａ１からＡ３のいずれかの添削教材において、前記第２の頁に、前記初回の答案の添削指導された内容を振り返るための指示事項が示された複数の指示欄と、その各指示欄の指示事項に応答する内容を記入する応答欄とが対応して設けられているものである。
この考案（Ａ５）の添削教材は、上記考案Ａ１からＡ４のいずれかの添削教材において、前記第２の頁に、前記２回目の答案について予め推敲した内容を記入するメモ欄が設けられているものである。
この考案（Ａ６）の添削教材は、上記考案Ａ５の添削教材において、前記メモ欄が、序論の内容、本論の内容及び結論の内容に分けて記入するよう構成されているものである。
【００１１】
この考案（Ａ７）の添削教材は、上記考案Ａ２からＡ６のいずれかの添削教材において、前記第４の頁に、前記２回目の答案の添削指導された内容を含めて教材全体の学習内容を振り返るための指示事項が示された複数の指示欄と、その各指示欄の指示事項に応答する内容を記入する応答欄とが対応して設けられているものである。
この考案（Ａ８）の添削教材は、上記考案Ａ２からＡ７のいずれかの添削教材において、前記第３の頁の端部側に、前記初回及び第２回目の各答案に対する評価項目ごとの得点及び評価結果がそれぞれ記入された初回の結果表及び２回目の結果表が設けられており、前記第４の頁に、その一部分を所定の位置で谷折りしたとき、前記第３の頁における初回の結果表及び２回目の結果表が現れて見える仕組みが設けられているものである。
この考案（Ａ９）の添削教材は、上記考案Ａ１からＡ８のいずれかの添削教材において、前記第１の頁における原稿用紙欄と前記第３の頁における原稿用紙欄が、その各上方側及び下方側の少なくとも一方に空白部分を配して設けられているものである。
【考案の効果】
【００１２】
上記考案Ａ１の添削教材によれば、小論文の反復練習を復習しながら効率よく確実に行うことができる。
上記考案Ａ２の添削教材によれば、第４の頁も利用して小論文の学習をより充実した復習をしながら効率よく確実に行うことができる。
上記考案Ａ３の添削教材によれば、第１の頁から第３の頁までの各頁が同じ見開き頁のなかに混在することがなく個々に独立した頁になり、使いやすくなる。
【００１３】
上記考案Ａ４の添削教材によれば、初回の答案に対する添削指導の内容を踏まえた復習を効率よく確実に行うことができる。
上記考案Ａ５の添削教材によれば、第２の頁におけるメモ欄を利用して２回目の答案についての推敲作業とその推敲した内容の記録を行う機会を得ることができる。
上記考案Ａ６の添削教材によれば、第２の頁におけるメモ欄を利用して２回目の答案についての推敲作業を小論文の基本構成に沿って効率よく行うことができる。
【００１４】
上記考案Ａ７の添削教材によれば、２回目の答案に対する添削指導の内容も含めた総括的な復習を効率よく確実に行うことができる。
上記考案Ａ８の添削教材によれば、少なくとも２回分の答案に対する添削指導の結果や変化を容易に確認しながら効率よく復習することができる。
上記考案Ａ９の添削教材によれば、各原稿用紙欄の答案に関する添削指導、学習等に必要な事項を記入しやくなり、学習すべき情報の充実化が図れる。
【図面の簡単な説明】
【００１５】
【図１】実施の形態１に係る添削教材をその表紙側から見たときの状態を示す概略斜視図である。
【図２】図１の添削教材における見開き頁の開いたときの状態を示す概略平面図であり、（ａ）は１番目の見開き頁の概略平面図、（ｂ）は２番目の見開き頁の概略平面図、（ｃ）は３番目の見開き頁の概略平面図である。
【図３】１番目の見開き頁を開いたときの状態で示す平面図である。
【図４】２番目の見開き頁を開いたときの状態で示す平面図である。
【図５】３番目の見開き頁を開いたときの状態で示す平面図である。
【図６】最終の頁を示す平面図である。
【図７】（ａ）は谷折りする前の最終の頁の状態を示す概略平面図、（ｂ）は（ａ）の最終の頁を谷折りしたときの状態を示す概略平面図である。
【考案を実施するための形態】
【００１６】
以下、この考案を実施するための形態（以下「実施の形態」という）について図面を参照しながら説明する。
【００１７】
［実施の形態１］
図１及び図２は、実施の形態１に係る添削教材を示すものである。このうち図１はその添削教材の全体を示し、また図２はその添削教材における複数の見開き頁を開いた状態で示している。
【００１８】
＜添削教材の構成＞
添削教材１は、小論文試験を受ける対策としての練習を復習しながら反復して行うことができるよう構成された教材である。
特にこの添削教材１は、図１等に示されるように、複数の頁を綴じた形態（ノート形式）の教材であり、その各頁をめくる等の作業により所望の頁を左右に開いた状態にして使用できる小冊子状の教材として構成されている。
また、この添削教材１は、例えば、教材の内容が印刷（記載）された複数枚の教材用紙を綴じることで製作される。
【００１９】
実施の形態１に係る添削教材１は、次のように製作されている。
すなわち、最初に、教材の内容が頁単位（１頁がＡ４判サイズとなる単位）で所要の順番で両面に印刷されたＡ３判サイズからなる２枚の教材用紙２，３を作成する。続いて、その２枚の教材用紙２，３における長辺の中央位置を結ぶ折り曲げ線の部分４でホッチキス（登録商標）のピン５で留めて綴じた（いわゆる「中綴じ」をした）後、その折れ線の部分４で折り曲げることで仕上げている。これにより、半分の大きさのＡ４判サイズからなる小冊子状に成形された添削教材１を得ている。
しかも、この添削教材１は、その折り曲げ線の部分４が表紙の右側の側端部に存在するよう右綴じされている。これにより、添削教材１は、原則として、各頁を右側にめくって使用する教材になっている。
【００２０】
また、この添削教材１は、例えば、その頁数が全体で８頁になるよう構成されている。
その各頁については、１頁を（表）表紙１０として、２頁及び３頁を１番目の見開き頁である第１の頁２０として、４頁及び５頁を２番目の見開き頁である第２の頁３０として、６頁及び７頁を３番目の見開き頁である第３の頁４０として、８頁を裏表紙も兼ねる第４の頁５０として、それぞれ構成している。１番目〜３番目の各見開き頁はいずれも、左右の見開き頁になっている。各頁（１頁を除く）の右下角部や左下角部には、図２等に示されるように頁の番号を示す数字が付されている。
【００２１】
このうち表紙１０は、例えば、図１に示されるように、添削教材１のタイトルに関する情報を示すタイトル欄１１、教材の内容を説明する教材説明欄１２、答案者の識別情報を記入するための答案者識別欄１３などが設けられている。答案者とは、本教材を利用して答案を記入する者をいう。
【００２２】
タイトル欄１１には、例えば、教材の学習の対象又は分野を示す情報や、教材の特徴を集約して示すタイトル情報や、使用年度、シリーズ企画等に関する情報などが表示される。本例では、上記学習の対象又は分野を示す情報として「小論文トレーニング」との表示、上記タイトル情報として「リピート完成ノート」との表示を採用している。
また、教材説明欄１２には、例えば、教材の特徴的な企画内容や、教材の使い方などが表示される。本例では、上記特徴的な企画内容として「リピートのねらい」との表示やその説明、上記教材の使い方として「リピート完成ノートの使い方」との表示やその説明を採用している。
さらに、答案者識別欄１３は、答案者の識別情報を記入することができる空欄を備えた記入欄であり、具体的には、答案者の氏名、学校名、学年などに関する情報を答案者に記入させるようになっている。
【００２３】
次に、第１の頁２０は、図２や図３に示されるように、小論文の問題に対する初回の答案を記入するための原稿用紙欄２１が少なくとも設けられている頁である。
実施の形態１では、第１の頁２０について、２頁及び３頁を使用した１番目の見開き頁として構成している。また、第１の頁２０については、学習段階の「ステップ１」になる初回の答案作成を行うための初回練習用頁としている。
【００２４】
原稿用紙欄２１は、小論文の問題内容やその回答量に応じて予め設定される文字数の升目を備えた書式が示された欄である。実施の形態１では、例えば６００字詰め用の原稿用紙欄２１を採用しており、その原稿用紙欄２１を２頁と３頁に跨った状態で設けている。
【００２５】
また、実施の形態１における第１の頁２０には、原稿用紙欄２１以外の他の欄として、例えば以下の欄を設けている。その他の欄としては、例えば、問題番号記入欄２２や、原稿用紙欄２１の上方側及び下方側にそれぞれ配される空白部分２３Ａ、２３Ｂや、添削結果欄２４、講評欄２５、学習日欄２６、表紙１０と同じ答案者識別欄１３等である。
【００２６】
問題番号記入欄２２は、小論文に関する複数の問題（課題）の中から答案者が初回の答案対象として任意に選択した問題の番号を記入するための欄である。空白部分２３Ａ、２３Ｂは、主に採点者（添削者）が採点時（添削時）に必要な内容を書き込むことができる空欄である。添削結果欄２４は、初回の答案に対して採点者が採点時に評価した項目（評価項目）ごとに付す得点やそのときの評価の結果を記入するための欄である。この添削結果欄２４は、例えば、評価項目ごとに各項目の内容、項目別の得点、評価結果等を示す評価の結果表２４ａや、総合得点を示す得点の結果表２４ｂにて構成されている。講評欄２５は、採点者の講評を記入するための欄である。学習日欄２６は、答案者が初回の答案を記入したときの日付を記入するための欄である。
【００２７】
次に、第２の頁３０は、図２や図４に示されるように、第１の頁２０における初回の答案の添削指導された内容を振り返るための項目欄が設けられている頁である。
実施の形態１では、第２の頁３０について、４頁及び５頁を使用した２番目の見開き頁として構成している。また、第２の頁３０については、学習段階の「ステップ２」になる振り返りの学習を行うための復習用頁としている。
【００２８】
上記初回答案の添削内容を振り返るための項目欄としては、例えば、図４に示されるように、初回の答案に対する添削指導の内容を答案者が振り返るべき点を誘導する指示事項（項目や文章など）を示す複数の指示欄３１，３２や、その各指示欄３１，３２の指示事項に応答する内容をそれぞれ記入する応答欄３３，３４や、２回目の答案について予め推敲した内容を記入するメモ欄３５等が設けられる。複数の指示欄３１，３２とその応答欄３３，３４は、第２の頁３０の上部及び下部の領域に対応するような位置関係で配置されている。また、メモ欄３５は、第２の頁３０の最後の部分（左側の端部）に位置するように配置されている。
【００２９】
１つ目の指示欄３１は、例えば、初回の答案に対する添削指導の内容のうちでほめられた点を答案者に見直してもらう指示事項が印字されている欄である。応答欄３３は、この指示欄３１の下方に配置されているとともに答案者が自由に記入できる空白部が形成されている空欄である。
２つ目の指示欄３２は、例えば、上記添削指導の内容を答案の採点時に適用する評価項目に沿って振り返るように評価項目の解説やその評価項目の得点をアップさせるため指導内容を含む指示事項が印字されている欄である。応答欄３４は、この指示欄３２の下方に配置されているとともに答案者が評価項目に関する必要な事項を自由に記入できる空白部が形成されている空欄である。
実施の形態１では、指示欄３２について、例えば、「主題の明確さ・独創性」、「具体性・説得力」、「構成力・思考力」及び「文章表現力・表記力」という４つの評価項目ごとに分けるとともに各指示事項を印字した欄（３２ａ，３２ｂ，３２ｃ，３２ｄ）として構成されている。また、応答欄３４については、指示欄３２の上記評価項目ごとに答案者の改善点や注意点などを注意喚起させて記入させるための指示コメントや、答案を作成する際の基本事項を明示して再確認させるよう選択肢を与えて学ばせる選択部などを付記した欄（３４ａ，３４ｂ，３４ｃ，３４ｄ）として構成されている。
【００３０】
メモ欄３５は、例えば、２回目の答案を作成するに先立ち答案者がその答案の構成を具体的に意識して学習できるように構成される欄である。実施の形態１では、このメモ欄３５について、答案者が序論の内容、本論の内容及び結論の内容に分けて記入することができる欄として構成している。つまり、メモ欄３５は、答案者が２回目の答案で予定している序論、本論及び結論に関して推敲した各内容をこの順番で区分けされた枠内にそれぞれ振り分けて記入できる欄（３５ａ，３５ｂ，３５ｃ）として形成されている。
【００３１】
次に、第３の頁４０は、図２や図５に示されるように、初回の答案で選択した小論文の問題に対する２回目の答案を記入するための原稿用紙欄４１が少なくとも設けられている頁である。
実施の形態１では、第３の頁４０について、６頁及び７頁を使用した３番目の見開き頁として構成している。また、第３の頁４０については、学習段階の「ステップ３」になるリピート回の答案作成を行うための反復練習用頁としている。
【００３２】
原稿用紙欄４１は、第１の頁２０における原稿用紙欄２１と同様に、小論文の問題内容やその回答量に応じて予め設定される文字数の升目を備えた書式が示された欄である。この原稿用紙欄４１は、実際には、初回の答案として選択した同じ問題に対する答案を記入することから原稿用紙欄２１と同じ構成のものが採用される。実施の形態１では、６００字詰め用の原稿用紙欄４１を採用しており、その原稿用紙欄４１を６頁と７頁に跨った状態で設けている。
【００３３】
また、実施の形態１における第３の頁４０には、原稿用紙欄４１以外の他の欄として、例えば以下の欄が設けられている。その他の欄としては、例えば、問題番号記入欄４２、原稿用紙欄４１の上方側に配される空白部分４３、添削結果欄４４、答案者の感想欄４６、採点者からのアドバイス欄４７、表紙１０と同じ答案者識別欄１３、第２の頁２０と同じ学習日欄２６等である。
【００３４】
問題番号記入欄４２は、答案者が初回の答案として選択した問題の番号を同様に記入するための欄である。空白部分４３は、第１の頁２０における空白部分２３Ａとほぼ同様の空欄である。添削結果欄４４は、第１の頁３０における添削結果欄２４とほぼ同様のものであり、その構成についても添削結果欄２４の場合とほぼ同様に評価の結果表４４ａと得点の結果表４４ｂからなる構成を適用している。
感想欄４６は、例えば、答案者が２回目の答案を作成するときに気をつけて取り組んだ点などを記入できる欄である。アドバイス欄４７は、採点者が２回目の答案を添削した結果を踏まえて答案者への指導となる事項を記入する欄である。このアドバイス欄４７では、例えば、よくなった点、さらに改善や発展させたい点などの観点からの採点者による助言が伝えられるようになっている。
【００３５】
第３の頁４０では、図５等に示されるように、２回目の添削結果欄４４に加えて、初回の評価結果や得点に関する初回の添削結果欄４５が併せて設けられている。初回の添削結果欄４５は、簡易な評価の結果表４５ａと得点の結果表４５ｂにて構成されており、２回目の添削結果欄４４よりも上方の位置に配置されている。
そして、この初回の添削結果欄（結果表）４５と２回目の添削結果欄（結果表）４４は、特に第４の頁５０における後述の谷折りの仕組みを実現する観点から、第３の頁４０のなかで左側の端部（実際には７頁の左端）に片寄らせた状態で設けられている。
【００３６】
最後に、第４の頁５０は、図６に示されるように、第３の頁４０における２回目の答案の添削指導された内容を含めて教材全体の学習内容を振り返るための項目欄が設けられている頁である。
実施の形態１では、第４の頁５０について、最終頁である８頁のみを使用した片面頁（非見開き頁）として構成している。また、第４の頁５０については、学習段階の「ステップ４」になる学習全体のまとめを行うための再復習用（又は総括復習用）頁としている。
【００３７】
上記全体的な学習内容を振り返るための項目欄としては、例えば、図６に示されるように、２回目の答案に対する添削指導の内容を含む教材全体の学習内容を通して答案者に小論文の書き方について習得できたかを確認させる確認欄５１や、答案者が教材全体の学習を通して得られたことを自由に記入させる自由振り返り欄５２や、２回の答案作成に対する添削指導の内容が変化した点を見直してもらう最終点検欄５３等が設けられる。第４の頁５０には、その他の欄として、例えば、第２の頁２０と同じ学習日欄２６等も設けられている。
【００３８】
実施の形態１では、確認欄５１について、小論文の書き方に関する確認事項（指示事項）を複数列挙した指示欄部５１ａと、その確認事項のうちで習得できた事項にチェックを入れる応答欄部５１ｂとを有する欄として構成している。自由振り返り欄５２については、添削教材１による学習を通してわかったこと、気づいたこと、考えたことなどの指示事項が印字された指示欄部５２ａと、その指示事項に応答する内容を自由に記入できる空欄を有する応答欄部５２ｂとを有する欄として構成している。最終点検欄５３については、２回の添削指導の内容を振り返るための指示事項が印字された指示欄部５３ａと、２回の添削指導で得点がアップした評価項目をチェックさせる第１応答欄部５３ｂとその得点がアップしなかった評価項目をチェックさせる第２応答欄部５３ｃとを有する欄として構成している。
【００３９】
また、第４の頁５０には、図７等に示されるように、その一部分を所定の位置で谷折りしたとき、第３の頁４０において初回及び第２回目の各答案に対する評価項目ごとの得点及び評価結果がそれぞれ記入された初回の結果表４５（４５ａ，４５ｂ）及び２回目の結果表４４（４４ａ，４４ｂ）が現れて見える仕組みが設けられている。
【００４０】
この仕組みは、初回の結果表４５（４５ａ，４５ｂ）及び２回目の結果表４４（４４ａ，４４ｂ）を第３の頁４０における所要の位置に設けることと、第４の頁５０の一部分の谷折りにより初回の結果表４５及び２回目の結果表４４が第４の頁５０側に存在するように見える状態するために谷折りする位置を第４の頁５０における所要の位置に設定することで機能するようになっている。
【００４１】
実施の形態１では、初回の結果表４５及び２回目の結果表４４を第３の頁４０における左側の側端部の位置（７頁における左側の約１／３の広さからなる端部領域）に設けているとともに、第４の頁５０における右側の側端部を谷折りするよう所要の位置（８頁における右端から１／３程度内側に入り込んだ箇所）に黒塗りの三角形からなる目印５５を設けることにより、上記仕組みを構成している。
谷折りの位置を示す目印５５については、第４の頁５０に右寄りになる上下の端部に分けて設けられている。また、目印５５の近傍には、谷折りをすることの説明文５６が記載されている。説明文５６としては、例えば「印で谷折りすると、得点が確認できます。」の文章が適用される。
【００４２】
また、実施の形態１では、この仕組みにより第４の頁５０の一部分を谷折りしたときに、初回の結果表４５（４５ａ，４５ｂ）及び２回目の結果表４４（４４ａ，４４ｂ）が、第４の頁５０における最終点検欄５３と横に並んだ位置関係位になるように設定している（図７（ｂ））。
【００４３】
＜添削教材の使用例＞
このような構成からなる添削教材１は、以下のようにして使用される。
【００４４】
まず、添削教材１は、小論文の問題（課題）と組み合わせて使用される。小論文の問題は、添削教材１の提供者側によって添削教材１とは別の書面として用意されるか又は別の形式で発表される。小論文の問題が複数出題されている場合は、答案者がその中から１つの問題を選択する。
【００４５】
初回の答案作成（練習）に際しては、添削教材１は、所定の机やテーブルの上において答案者により第１頁の表紙１０が右側にめくられて、図２や図３に示されるように、１番目の見開き頁として構成された第１の頁２０（２頁及び３頁）が開いた状態にされる。続いて、答案者により、添削教材１の第１の頁２０にある原稿用紙欄２１に、選択された問題に対する初回の答案が記入される。
この際、添削教材１の表紙１０における答案者識別欄１３や、第１の頁２０における答案者識別欄１３、問題番号記入欄２２及び学習日欄２６に対しても、答案者により必要な情報が記入される。
【００４６】
また、この答案の作成時においては、図２や図３に示されるように、原稿用紙欄２１が設けられている第１の頁２０が左右の見開き頁になっているため、左右方向のサイズよりも上下方向のサイズが相対的に長い教材に比べて、添削教材１が第１の頁２０を開いた状態でも、机やテーブルの限られた広さの天板面に収まって、添削教材１の一部がはみ出した状態になりにくくなり、この結果、答案者には答案内容等の記入作業がしやすい。
【００４７】
次に、初回の答案が記入された添削教材１は、その教材提供者が居る所要の場所に回収（提出）された後、初回の答案に対する採点者による採点（添削）の作業に供される。
この際、採点者による添削指導の内容が、第１の頁２０における原稿用紙欄２１に記入される他、原稿用紙欄２１の上方側及び下方側にある空白部分２３Ａ，２３Ｂにも必要に応じて記入される。また、採点者による添削結果が第１の頁２０における添削結果欄２４に記入され、さらに採点者による講評が第１の頁２０における講評欄２５に記入される。
【００４８】
また、この答案の採点や添削時においては、図３等に示されるように、原稿用紙欄２１が設けられている第１の頁２０が左右の見開き頁になっているため、上記答案の作成時における場合と同様に、採点者にも添削指導の内容や添削結果の記入作業がしやすいものになる。
さらに、第１の頁２０では、図３等に示されるように、原稿用紙欄２１の上方側及び下方側に空白部分２３Ａ，２３Ｂが設けられているので、その空白部分２３Ａ等が設けられていない場合に比べて、採点者には添削指導の内容をより自由に多めに記入しやすくなり、また、答案者には添削指導の内容が多くなったときに多くの学習情報を得られやすくなる。これにより、学習情報が充実した教材になる。
【００４９】
次に、初回の答案に対する添削指導がされた後の添削教材１は、答案者に戻される。
この際、答案者は、最初に添削教材１の第１の頁２０を開いて、初回の添削指導の内容や結果を実際に見て確認する。
続いて、答案者は、図２や図４に示されるように、添削教材１における２番目の見開き頁である第２の頁３０（４頁及び５頁）を開いた状態にしたうえで、ステップ２の振り返りの学習を行うことになる。
【００５０】
この振り返り学習に際しては、図４等に示されるように、第２の頁３０に指示欄３１，３２やその応答欄３３，３４が設けられているため、答案者はその指示欄３１，３２に記載の指示事項について確認し、その指示事項に応答するかたちで必要な内容を応答欄３３，３４に記入することになる。これにより、答案者は、初回の答案に対する添削指導の内容などを効率よく確実に振り返って学ぶこと（復習）ができる。特に指示欄３１，３２やその応答欄３３，３４が評価項目に沿う内容で構成されているので、添削指導の内容の振り返りを効率よく有効に行うことができる。
【００５１】
またこの振り返り学習に際しては、図４等に示されるように、第２の頁３０に２回目の答案について予め推敲した内容を記入するメモ欄３５が設けられているため、答案者にはメモ欄３５を利用することにより２回目の答案についての推敲作業とその推敲した内容の記録を行う機会を得ることができる。しかも、そのメモ欄３５が序論の内容、本論の内容及び結論の内容に分けて記入するよう構成されているので、答案者には２回目の答案についての推敲作業を小論文の基本構成（序論、本論及び結論）に沿って効率よく的確に行うことができる。
【００５２】
次に、この添削教材１は、振り返り学習を終えた後に、同じ添削教材１において２回目の答案作成を行うことができる。
【００５３】
２回目の答案作成（反復練習）に際しては、添削教材１は、初回の答案作成の場合とほぼ同様に机やテーブルの上において答案者により必要な頁が右側にめくられて、図２や図５に示されるように、３番目の見開き頁として構成された第３の頁４０（６頁及び７頁）が開いた状態にされる。続いて、答案者により、添削教材１の第３の頁４０にある原稿用紙欄４１に、初回の答案時と同じ問題に対する２回目の答案が記入される。
この際、添削教材１の第３の頁４０における答案者識別欄１３、問題番号記入欄４２及び学習日欄２６に対しても、答案者により必要な情報が記入される。
【００５４】
また、２回目の答案の作成時においては、図２や図５に示されるように、原稿用紙欄４１が設けられている第３の頁４０が左右の見開き頁になっているため、上記初回の答案の作成時における場合と同様に、答案者には答案内容等の記入作業がしやすくなる。また、第３の頁４０には、例えば答案者自身が２回目の答案作成に際してどのように取り組んだかなどを自由に記入できる感想欄４６が設けられているため、答案者には反復練習するときの心構えを再認識させて小論文の答案作成に臨むときの注意力の向上につなげることができる。
【００５５】
次に、２回目の答案が記入された添削教材１は、初回の答案作成後の場合と同様に所要の場所に回収された後、その２回目の答案に対する採点者による採点の作業に供される。
この際、採点者による添削指導の内容が、第３の頁４０における原稿用紙欄４１に記入される他、原稿用紙欄４１の上方側にある空白部分４３にも必要に応じて記入される。また、採点者による添削結果が第３の頁４０における添削結果欄４４に記入され、さらに採点者が２回目の答案を添削した結果を踏まえて答案者への指導となる事項が第３の頁４０におけるアドバイス欄４７に記入される。この第３の頁４０には、初回の添削結果欄（結果表）４５が設けられているため、その添削結果欄４５に初回の添削結果や得点の情報が採点者によって記入される。
【００５６】
また、この答案の採点や添削時においては、図５等に示されるように、原稿用紙欄４１が設けられている第３の頁４０が左右の見開き頁になっているため、上記初回の答案の採点時における場合と同様に、採点者にも添削指導の内容や添削結果を記入する作業がしやすいものになる。
さらに、第３の頁４０では、図５等に示されるように、原稿用紙欄４１の上方側に空白部分４３が設けられているので、その空白部分４３が設けられていない場合に比べて、上記初回の答案の採点時における場合とほぼ同様に、採点者には添削指導の内容を自由により多めに記入しやすくなり、また、答案者には添削指導の内容が多くなったときに多くの学習情報を得られやすくなる。
【００５７】
次に、２回目の答案に対する添削指導がされた後の添削教材１は、答案者に再び戻される。
この際、答案者は、最初に添削教材１の第３の頁４０を開いて、２回目の添削指導の内容や結果を実際に見て確認する。
続いて、答案者は、図６に示されるように、添削教材１における最終頁で片面頁でもある第４の頁５０（８頁）をめくった状態にしたうえで、ステップ４のまとめの学習（最終の振り返り学習）を行うことになる。
【００５８】
この振り返り学習に際しては、図６に示されるように、第４の頁５０に確認欄５１や自由振り返り欄５２や最終点検欄５３が設けられているため、答案者はその各欄５１〜５３の指示欄５１ａ〜５３ａにそれぞれ印字された質問も含む指示事項について確認し、その各指示事項に応答するかたちで必要な内容を各欄５１〜５３の応答欄５１ｂ〜５３ｂに記入することになる。これにより、答案者は、２回目の答案に対する添削指導の内容を含む教材１全体の学習内容を効率よく確実に振り返って学ぶこと（再復習）ができ、学習のまとめを行うことができる。
【００５９】
特に最終点検欄５３については、２回目の添削指導で得点がアップした評価項目をチェックする第１応答欄部５３ｂとその得点がアップしなかった評価項目をチェックする第２応答欄部５３ｃを有する欄として構成されているので、答案者に２回の答案作成に対する添削指導の内容が変化した点を評価項目別に点検してもらうことができる。この結果、答案者は、学習のまとめとして、添削教材１による学習の成果や課題点（弱点）を客観的に認識することができる。
【００６０】
また、この添削教材１では、第４の頁５０におけるまとめの学習を行う際、上記谷折りの仕組みを利用することができる。この仕組みの利用により、答案者は２回分の添削指導の結果を容易に確認することができる。
つまり、添削教材１では、答案者が２回目の添削指導の結果を確認したいときに、図７に示すように、第４の頁５０の一部分を目印５５で示される位置（図７において上下の目印５５を結ぶ二点鎖線で示される折り曲げ線Ｌ）で谷折りして折り曲げると、図７（ｂ）に示すように、第３の頁４０における初回の結果表４５（４５ａ，４５ｂ）及び２回目の結果表４４（４４ａ，４４ｂ）が第４の頁５０の面側に現れて見ることができる。
これにより、答案者は、第３の頁４０にある初回の結果表４５及び２回目の結果表４４を、第４の頁５０（８頁）をその都度めくって見るという作業をすることなく、容易に確認することができる。なお、この谷折りをした場合、第４の頁５０の谷折りで折り曲げた一部分４０ａが存在していた下方には、図７（ｂ）に示されるように、第３の頁４０における一部分（右側の端部領域）３０ａが露出した状態になる。
【００６１】
しかも、この添削教材１では、上記谷折りの仕組みを利用して谷折りをすると、その谷折りしたときの初回の結果表４５及び２回目の結果表４４は、図７（ｂ）に示すように、第４の頁５０における最終点検欄５３の横に並んだ状態で見ることができる。
これにより、答案者は、最終点検欄５３の横に並ぶように現れる初回の結果表４５及び２回目の結果表４４の内容を単に視線の移動で確認しながら、最終点検欄５３の点検と記入の作業を効率よく行うことができる。
【００６２】
以上のようにして、添削教材１は小論文の反復練習に使用することができる。
【００６３】
そして以上説明したように、この添削教材１によれば、初回練習用頁である第１の頁２０と、復習用頁である第２の頁３０と、反復練習用頁である第３の頁４０と、再復習（総括復習）用頁である第４の頁５０とからなる一連の頁がこの順番で１つに綴じられた小冊子状の教材になっているので、小論文の２回にわたる反復練習をする際、その各頁を順番にめくって使用するだけで、その反復練習を添削指導に基づく復習もしながら効率よく確実に行うことができる。
【００６４】
このため、この添削教材１においては、例えば、復習をする際に、本来別の書面でもある初回の答案（その添削指導の内容も含む）と２回目の答案（その添削指導の内容も含む）をその都度所定の保管場所から集めて一式揃えるという煩雑な作業が不要になる。また、この添削教材１では、第２の頁３０を使用した学習や第４の頁５０を使用した学習を行うだけで、初回の答案に対する添削指導及び指示事項に基づく復習や２回目の答案に対する添削指導及び指示事項に基づく復習を、添削教材１に誘導されるようにして効率よく確実に行うことが可能になる。
【００６５】
また、この添削教材１では、特に初回練習用頁である第１の頁２０と復習用頁である第２の頁３０と反復練習用頁である第３の頁４０とが見開き頁になっているので、その各頁を使用する際に、他の頁が混在することがなく個々に独立した頁になり、使いやすいものになる。
ちなみに、実施の形態１に係る添削教材１では、見開き頁が左右に開かれる形態を採用しているので、上下に開かれる見開き頁の形態の教材や２回分の原稿用紙欄が上下に配置されている教材に比べて、横方向のサイズが小さくなり、また使用する際に上下方向の設置スペースが増加することや机等の縦方向の寸法より広くなりすぎること等の不具合がない。
【００６６】
［他の実施の形態］
実施の形態１に係る添削教材１については、その構成の一部を必要に応じて適宜変更することができる。
【００６７】
例えば、添削教材１は、第１の頁２０、第２の頁３０、第３の頁４０及び第４の頁５０を有する構成例に限らず、第１の頁２０、第２の頁３０及び第３の頁４０を有する構成（つまり第４の頁５０を除いた構成）の教材としてもよい。
また、添削教材１は、３回目以上の回数の答案を作成するための頁や、その３回目以上の回数の各答案に対する添削指導の内容等を振り返るための頁を追加し、すべての頁を頁順に綴じた構成の教材としても構わない。
また、表紙等を含む各頁における構成（欄や文章などの構成）は、実施の形態１で示した構成例に限定されず、適宜変更してもよい。答案を作成する原稿用紙欄は、答案を作成する頁においては必須の欄として設ける必要があるが、原稿用紙欄を構成する文字数や枠線等の要素の変更は可能である。また、原稿用紙欄は、その下方側のみに空白部分が配される構成であってもよい。
さらに、各頁の綴じ方や綴じる手段についても、実施の形態１で示した構成例に限定されず、必要な変更をしてもよい。
この他にも、添削教材１は、例えば小論文の答案作成や学習に役立つ知識、情報などが示された頁を更に付加した構成の教材とすることも可能である。
【符号の説明】
【００６８】
１  …添削教材
２０…第１の頁（見開き頁）
２１…初回の答案を記入する原稿用紙欄
２３Ａ，２３Ｂ，４３…空白部分
３０…第２の頁（見開き頁）
３１〜３５…初回の答案の添削指導された内容を振り返る項目欄
３１，３２…複数の指示欄
３３，３４…応答欄
３５…メモ欄
４０…第３の頁（見開き頁）
４１…２回目の答案を記入する原稿用紙欄
４４…２回目の添削結果欄（２回目の結果表）
４５…初回の添削結果欄（初回の結果表）
５０…第４の頁
５１〜５３…２回目の答案の添削指導された内容等を振り返る項目欄
５１ａ〜５３ａ…指示欄部
５１ａ〜５３ａ…応答欄部
５５…谷折り位置を示す目印
【図１】
0003208652.tif 000003
【図２】
0003208652.tif 000004
【図３】
0003208652.tif 000005
【図４】
0003208652.tif 000006
【図５】
0003208652.tif 000007
【図６】
0003208652.tif 000008
【図７】
0003208652.tif 000009